(57)【要約】【課題】補給時の作業性の向上を図った流体吐出装置を提供する。【解決手段】石鹸液タンク体２には、石鹸液が貯蔵されている。供給機構部３は、石鹸液タンク体２の上方に設けられ、石鹸液タンク体２に貯蔵された石鹸液を吐出ノズル４２に供給するための機構である。補給経路部５は、石鹸液を石鹸液タンク体２に補給するための経路である。補給経路部５は、補給口５１１が形成され、供給機構部３の上方に配置された第１端部５１と、石鹸液タンク体２に連通する第１連通口５２１が形成され、供給機構部３の下方に配置された第２端部５２と、供給機構部３の側面に沿って配置された補給経路本体５３と、を有する。【選択図】図２
2018104048.tif 000002
【特許請求の範囲】
【請求項１】
流体を貯蔵するためのタンクと、前記タンクの上方に設けられ、前記タンクに貯蔵された流体を吐出ノズルに供給するための供給機構部と、を備えた流体吐出装置において、
前記流体を前記タンクに補給するための補給経路部をさらに備え、
前記補給経路部は、補給口が形成され、前記供給機構部の上方に配置された第１端部と、前記タンクに連通する第１連通口が形成され、前記供給機構部の下方に配置された第２端部と、前記供給機構部の側面に沿って配置された補給経路本体と、を有することを特徴とする流体吐出装置。
【請求項２】
前記第１端部は、前記供給機構部の上方を覆う覆い壁と、前記覆い壁の縁部から上方に立設した筒状の立壁と、を有し、
前記覆い壁には、前記補給経路本体との連通孔が形成されていることを特徴とする請求項１に記載の流体吐出装置。
【請求項３】
前記タンク内の空気を抜くためのエア抜き経路部をさらに備え、
前記エア抜き経路部が、前記覆い壁に形成されたエア抜き孔に連通され、前記供給機構部の側面に沿って配置されたエア抜き経路本体と、前記タンクに連通する第２連通口が形成され、前記供給機構部の下方に配置された第３端部と、を有することを特徴とする請求項２に記載の流体吐出装置。
【請求項４】
前記補給経路本体と、前記エア抜き経路本体と、が並べられて一体に形成されていることを特徴とする請求項３に記載の流体吐出装置。
【請求項５】
前記覆い壁上に配置され、前記エア抜き孔を囲む囲い壁をさらに備えたことを特徴とする請求項３又は４に記載の流体吐出装置。
【発明の詳細な説明】
【技術分野】
【０００１】
本発明は、流体吐出装置に関する。
【背景技術】
【０００２】
従来、水石けん液とエアとを混合し、水石けんをムース状にして吐出するとともに、カウンタ部等の設置台Ｋに固定して使用されるソープディスペンサー１０１が開示されている（例えば、特許文献１参照）。
【０００３】
特許文献１に開示されたソープディスペンサー１０１は、図７に示すように、手洗器のカウンタ部の一部である設置台Ｋに形成された貫通部Ｈに挿入固定される。ソープディスペンサー１０１は、貫通部Ｈに挿入固定された取付管１０２と、取付管１０２の下側に接続保持された水石けん液のタンク１０３と、取付管１０２とは別体に構成されているとともに、取付管１０２に脱着可能に設けられた本体部１０４と、を備えて構成されている。
【０００４】
本体部１０４は、その大部分が、ソープディスペンサー１０１における設置台Ｋの上側に位置するとともに、その全体が取付管１０２から取外し可能とされている。本体部１０４は、ボディ１０５と、このボディ１０５に内蔵されるとともに、水石けん液ポンプ、エアポンプの各機能を有し、水石けん液をポンプ作用で揚液した上、エアーを混合し、ムース状の水石けん液として送出する機構部１０６と、基端がボディ１０５に固定された吐出管１０７と、を備えて構成されている。
【０００５】
吐出管１０７は、その基端の近傍部に、水石けん液とエアーとの混合を促進するためのメッシュ１０８が固定されている。このようなソープディスペンサー１０１は、本体部１０４を取付管１０２から外し、この状態で取付管１０２の開口部に水石けん液を注入することで、取付管１０２を介して水石けん液がタンク１０３に補給される。また、本体部１０４とタンク１０３とはボールチェーン１０９によって連結され、本体部１０４の盗難、紛失防止を図っていた。
【先行技術文献】
【特許文献】
【０００６】
【特許文献１】特開２００９-１６５７６２号公報
【発明の概要】
【発明が解決しようとする課題】
【０００７】
しかしながら、特許文献１に開示された従来のソープディスペンサー１０１にあっては、水石けん液をタンク１０３に補給するときは、本体部１０４をどこかに置いて作業を行う必要があった。このため、本体部１０４の置き場所に困ったり、またボールチェーン１０９などを伝って水石けん液が手洗器に垂れて、汚れてしまう恐れがあり、補給時の作業性が悪かった。
【０００８】
本発明の目的は、補給時の作業性の向上を図った流体吐出装置を提供することにある。
【課題を解決するための手段】
【０００９】
本発明の第１の態様である流体吐出装置は、流体を貯蔵するためのタンクと、前記タンクの上方に設けられ、前記タンクに貯蔵された流体を吐出ノズルに供給するための供給機構部と、を備えた流体吐出装置において、前記流体を前記タンクに補給するための補給経路部をさらに備え、前記補給経路部は、補給口が形成され、前記供給機構部の上方に配置された第１端部と、前記タンクに連通する第１連通口が形成され、前記供給機構部の下方に配置された第２端部と、前記供給機構部の側面に沿って配置された補給経路本体と、を有することを特徴とする。
【００１０】
第２の態様の流体吐出装置は、前記第１端部は、前記供給機構部の上方を覆う覆い壁と、前記覆い壁の縁部から上方に立設した筒状の立壁と、を有し、前記覆い壁には、前記補給経路本体との連通孔が形成されている。
【００１１】
第３の態様の流体吐出装置は、前記タンク内の空気を抜くためのエア抜き経路部をさらに備え、前記エア抜き経路部が、前記覆い壁に形成されたエア抜き孔に連通され、前記供給機構部の側面に沿って配置されたエア抜き経路本体と、前記タンクに連通する第２連通口が形成され、前記供給機構部の下方に配置された第３端部と、を有する。
【００１２】
第４の態様の流体吐出装置は、前記補給経路本体と、前記エア抜き経路本体と、が並べられて一体に形成されている。
【００１３】
第５の態様の流体吐出装置は、前記覆い壁上に配置され、前記エア抜き孔を囲む囲い壁をさらに備えている。
【発明の効果】
【００１４】
以上説明したように第１の態様によれば、供給機構部の上方に補給口が配置されているため、供給機構部を取り外すことなく、流体を補給することができる。このため、補給時の作業性の向上を図ることができる。
【００１５】
第２の態様によれば、補給口を大きくすることができ、より一層補給時の作業性の向上を図ることができる。
【００１６】
第３の態様によれば、エア抜き経路部を設けることにより、流体補給時にタンク内の空気がエア抜き経路部から抜けるため、補給経路部から抜けることを防止できる。
【００１７】
第４の態様によれば、部品点数削減となり、コストダウンを図ることができる。
【００１８】
第５の態様によれば、囲い壁により、流体がエア抜き経路部に流れ込むのを防止できる。
【図面の簡単な説明】
【００１９】
【図１】本発明の一実施形態にかかる流体吐出装置としてのソープディスペンサー１の断面図である。
【図２】図１に示すソープディスペンサー１からカバーを取り外した状態の斜視図である。
【図３】図２のＩ−Ｉ線概略断面図である。
【図４】図１に示す補給経路部、エア抜き経路部及び連通経路部の斜視図である。
【図５】図１のソープディスペンサーから蓋体を取り外した状態の上面図である。
【図６】図１のＩＩ−ＩＩ線断面図である。
【図７】特許文献１に開示された従来のソープディスペンサー１を示す断面図である。
【発明を実施するための形態】
【００２０】
以下、本発明の一実施形態に係るソープディスペンサー１（流体吐出装置）を、図１〜図６を参照して説明する。なお、図１及び図３において、供給機構部３の詳細な断面については省略されている。また、図４からは囲い壁１０が取り外されている。
【００２１】
ソープディスペンサー１は、エアと液状の石鹸液（流体）とを混合して生成されたムース状の石鹸液（以下、「ムース体」と記す場合がある）を供給するための装置である。このソープディスペンサー１は、例えば洗面台等の水栓の近傍部において、ムース体を吐出するための吐出ノズル４２が外部に露出するように設置されている。そして、使用者が手洗い等をする際に、ムース体を供給するためのものである。
【００２２】
なお、本実施形態において、ソープディスペンサー１は、水栓が設置された設置台Ｋを上下に貫通する貫通部Ｈに固定される。このように本実施形態のソープディスペンサー１は、設置台Ｋに固定された場合を一例として説明するが、ソープディスペンサー１は、設置台Ｋに固定されていなくともよい。即ち、ソープディスペンサー１は、いずれの部材にも固定されていないとともに、持ち運び自在であってもよい。
【００２３】
図１などに示すように、ソープディスペンサー１は、石鹸液タンク体２と、供給機構部３と、混合物吐出ユニット４と、補給経路部５と、エア抜き経路部６（図４）と、連通経路部７と、ケース８と、を備えている。
【００２４】
石鹸液タンク体２は、石鹸液を貯蔵するためのタンクである。供給機構部３は、石鹸液タンク体２の上方に設けられている。供給機構部３は、石鹸液タンク体２に貯蔵された石鹸液及びエアを混合物吐出ユニット４に供給して、吐出ノズル４２から吐出させるためものである。混合物吐出ユニット４は、供給機構部３から供給された石鹸液及びエアを混合してムース体を生成するとともに、生成されたムース体を吐出ノズル４２から吐出させるためのユニットである。
【００２５】
補給経路部５は、石鹸液を石鹸液タンク体２に補給するための経路となる。エア抜き経路部６は、石鹸液補給時に石鹸液タンク体２から押し出される空気を抜くための経路となる。連通経路部７は、上述した供給機構部３、補給経路部５及びエア抜き経路部６と、後述する石鹸液タンク２１と、を連通する経路となる。ケース８は、上述した供給機構部３、混合物吐出ユニット４、補給経路部５及び連通経路部７を収容するためのものである。
【００２６】
石鹸液タンク体２は、液状の石鹸液を貯蔵するためのタンクとしての石鹸液タンク２１と、石鹸液タンク２１を設置台Ｋに取り付けるためのベース体２２と、を備えて構成されている。
【００２７】
ベース体２２は、石鹸液タンク２１の開口部に接続された接続部材２２１と、接続部材２２１に接続され、設置台Ｋに支持された支持部材２２２と、接続部材２２１及び支持部材２２２を接続するための連結ナット２２３と、を備えて構成されている。
【００２８】
接続部材２２１は、石鹸液タンク２１の開口部に取り付けられ、石鹸液タンク２１に連通する筒状に設けられている。接続部材２２１は、接続部本体２２１Ａと、接続部本体２２１Ａの上側に連続される上側接続部２２１Ｂと、接続部本体２２１Ａの下端に連続される下側接続部２２１Ｃと、を有して構成されている。接続部本体２２１Ａ、上側接続部２２１Ｂ及び下側接続部２２１Ｃは、上下に同軸に設けられている。接続部本体２２１Ａは、上下に延在するとともに内径及び外径が略一定の円筒状に設けられている。上側接続部２２１Ｂは、内径が接続部本体２２１Ａの内径よりも大きくなるように形成されて、支持部材２２２の下端を当接させる段部２２１Ｄを有している。また、上側接続部２２１Ｂは、外径が接続部本体２２１Ａの外径と略等しい寸法を有して構成されているとともに、その外周面が連結ナット２２３の内周面に螺合するように構成されている。下側接続部２２１Ｃは、内径が接続部本体２２１Ａ及び上側接続部２２１Ｂの内径よりも大きくなるように形成されているとともに、石鹸液タンク２１の開口部に螺合するように構成されている。
【００２９】
支持部材２２２は、貫通部Ｈに挿入される支持部本体２２２Ａと、支持部本体２２２Ａの下端に連続されて上側接続部２２１Ｂに内挿される内挿部２２２Ｂと、支持部本体２２２Ａに外挿されるパッキン２２２Ｃと、支持部本体２２２Ａの上端に設けられた受け皿部２２２Ｄと、を備えている。支持部本体２２２Ａは、上下に延在するとともに内径及び外径が略一定の円筒状に設けられている。支持部本体２２２Ａは、貫通部Ｈに挿入可能なように、その外径が貫通部Ｈの内径よりも小さい寸法となるように形成されている。内挿部２２２Ｂは、外径が支持部本体２２２Ａの外径よりもわずかに小さくなるように形成されている。このような支持部材２２２は、内挿部２２２Ｂが上側接続部２２１Ｂに内挿された状態で、上側接続部２２１Ｂと連結ナット２２３が螺合することで固定されている。こうして支持部材２２２と接続部材２２１とが連結固定される。
【００３０】
パッキン２２２Ｃは、受け皿部２２２Ｄとの間に、設置台Ｋを挟む位置に設けられている。パッキン２２２Ｃが設けられることで、設置台Ｋの貫通部Ｈと支持部本体２２２Ａとの隙間が埋められ、支持部本体２２２Ａが設置台Ｋにがたつくことなく固定される。受け皿部２２２Ｄは、図１に示すように、支持部本体２２２Ａの上端に連続されるとともに設置台Ｋの上面に対向するように支持部本体２２２Ａから径方向外側に延在する鍔状部２２２Ｄ１と、鍔状部２２２Ｄ１の周縁から上方に円筒状に立設される立設壁部２２２Ｄ２と、から構成されている。鍔状部２２２Ｄ１は、略円形に設けられ、その外径が貫通部Ｈよりも大きくなるように形成されている。受け皿部２２２Ｄは、設置台Ｋの上側に配置され、受け皿部２２２Ｄから下垂された支持部本体２２２Ａが貫通部Ｈを通って設置台Ｋの下側に突出する。
【００３１】
供給機構部３は、経路集合部３１と、ポンプ機構３２と、回転部３３と、を備えている。経路集合部３１は、石鹸液タンク２１に貯蔵された石鹸液に貯蔵された石鹸液を吸入して、混合物吐出ユニット４に供給する石鹸液流路（図示せず）及びエアを吸入して混合物吐出ユニット４に供給するエア流路（図示せず）が形成されている。上記図示しない石鹸液流路の入口には、吸い上げチューブ３４の一端が接続されている。吸い上げチューブ３４の他端は、石鹸液タンク２１の石鹸液中に浸されている。
【００３２】
ポンプ機構３２は、エア及び石鹸液を経路集合部３１内に吸入及び経路集合部３１外に送出させるためのものである。回転部３３は、上下方向に沿った中心軸Ｚの軸周りに回転自在にポンプ機構３２に対して取り付けられている。回転部３３は、図示しないセンサによりユーザが吐出ノズル４２に手を近づけたことを検知すると、回転する。そして、ポンプ機構３２は、回転部３３の回転に連動し、エア及び石鹸液を経路集合部３１に通す。ポンプ機構３２が駆動すると、吸い上げチューブ３４により石鹸液タンク２１内の石鹸液が吸い上げられ、石鹸液流路を通って混合物吐出ユニット４に供給される。また、ポンプ機構３２が駆動すると、エアがエア流路を通って混合物吐出ユニット４に供給される。
【００３３】
経路集合部３１は、中実な円柱体において、適宜な位置に貫通孔が形成されることで図示しない石鹸液流路及びエア流路を形成している。ポンプ機構３２は、図２に示すように、経路集合部３１とほぼ同じ径の略円筒状の収容部３２１内に収容されている。回転部３３は、ポンプ機構３２や経路集合部３１とほぼ同じ径の略円筒状の収容部３３１内に収容されている。これら経路集合部３１、ポンプ機構３２及び回転部３３は、下から順に重ねて配置され、全体として略円柱状に形成されている。
【００３４】
上記供給機構部３は、図２に示すように、受け皿部２２２Ｄの立設壁部２２２Ｄ２の上端から突出された支持突起２２２Ｄ３によりその下端が支持されている。これにより、供給機構部３は、受け皿部２２２Ｄの立設壁部２２２Ｄ２よりも上方に支持される。供給機構部３の下面は、受け皿部２２２Ｄの鍔状部２２２Ｄ１とほぼ同じ径の略円形に設けられている。
【００３５】
回転部３３の収容部３３１について詳細に説明する。収容部３３１は、図２に示すように、ポンプ機構３２や経路集合部３１とほぼ同じ径の略円筒状の側壁３３１Ａと、側壁３３１Ａの上端から立設し、上方に向かうに従って径が小さくなるテーパ壁３３１Ｂと、テーパ壁３３１Ｂの上方開口を覆う上壁３３１Ｃ（図３参照）と、を有している。上壁３３１Ｃの径は、側壁３３１Ａの径よりも小さい。
【００３６】
混合物吐出ユニット４は、図１に示すように、経路集合部３１を通じて供給されたエア及び石鹸液を混合してムース体を生成する混合物生成部４１と、混合物生成部４１にて生成されたムース体を吐出するための吐出ノズル４２と、を有している。混合物生成部４１は、受け皿部２２２Ｄの鍔状部２２２Ｄ１の上面に支持され、経路集合部３１の下方に配置されている。混合物生成部４１は、図示しない石鹸液流路及びエア流路の出口に接続される。吐出ノズル４２は、一端が受け皿部２２２Ｄ内に支持された混合物生成部４１に固定され連通し、他端が受け皿部２２２Ｄ外に突出している。
【００３７】
補給経路部５は、石鹸液を石鹸液タンク２１に補給するための経路である。補給経路部５は、図２などに示すように、補給口５１１が形成され、供給機構部３の上方に配置された第１端部５１と、石鹸液タンク２１に連通する第１連通口５２１（図３）が形成され、供給機構部３の下方に配置された第２端部５２と、供給機構部３の側面に沿って配置された補給経路本体５３と、を有している。
【００３８】
第１端部５１は、図３及び図４に示すように、供給機構部３の上方を覆う覆い壁５１２と、覆い壁５１２の縁部から上方に立設した筒状の立壁５１３と、を有し、上方が開口されて補給口５１１となる受け皿状に形成されている。覆い壁５１２は、図５に示すように、供給機構部３の上壁３３１Ｃ全面を覆うように、上壁３３１よりも大きな径の上面視円状に形成されている。立壁５１３は、覆い壁５１２の全周縁から立設されている。
【００３９】
覆い壁５１２には、図３及び図４に示すように、補給経路本体５３との連通孔５１２Ａが形成されている。図３に示すように、連通孔５１２Ａは、立壁５１３の下端に連なる補給経路本体５３に連通されている。連通孔５１３Ａは、図３及び図５に示すように、覆い壁５１２の立壁５１３との境界であって、供給機構部３のテーパ壁３３１Ｂと上下方向に対向する部分に設けられている。連通孔５１３Ａは、覆い壁５１２の立壁５１３との境界に設けられている。即ち、連通孔５１２Ａは、立壁５１３に沿って中心軸Ｚ回りに湾曲して形成されている。
【００４０】
補給経路本体５３は、回転部３３のテーパ壁３３１Ｂ及び側壁３３１Ａ、ポンプ機構３２の収容部３２１側壁や経路集合部３１の側壁（即ち供給機構部３の側壁）の一部に沿って形成されている。即ち、補給経路本体５３のテーパ壁３３１Ｂに対向する部分は、図２に示すように、テーパ壁３３１Ｂと同様に、中心軸Ｚ周りに湾曲して設けられ、上方に向かうに従って湾曲の曲率半径が小さくなるように形成されている。回転部３３の収容部３３１の側壁３３１Ａ、ポンプ機構３２の収容部側壁や経路集合部３１の側壁に対向する部分は、図２に示すように、これらと同様に、中心軸Ｚ周りに湾曲して設けられ、上から下まで曲率半径が同じに設けられる。
【００４１】
補給経路本体５３について詳しく説明する。図４及び図６に示すように、上記補給経路本体５３は、供給機構部３の径方向に沿って対向する一対の側壁５３１と、一対の側壁５３１の軸周り方向両端を連結する一対の連結壁５３２と、を有して、筒状に形成されている。また、補給経路本体５３は、筒状の下側開口を塞ぐ底壁５３３（図４）を有している。上記一対の側壁５３１が、供給機構部３の中心軸回りに湾曲して設けられている。
【００４２】
第２端部５２は、図４に示すように、補給経路本体５３内側の側壁５３１下端から中心軸に向かって突出する第１経路部５２２と、第１経路部５２２の中心軸側の端部から下垂する第２経路部５２３と、が形成されている。図３に示すように、第２経路部５２３の端部には、第１連通口５２１が設けられ、後述する連通経路部７の補給経路接続部７２に内挿されている。第１経路部５２２及び第２経路部５２３は、円筒状に形成されている。補給経路本体５３の下端には、図２に示すように、半円状の突出部５３４が設けられている。第１経路路５２２の下半分は、この突出部５３４から突出されている。
【００４３】
エア抜き経路部６は、図４に示すように、覆い壁５１２を貫通するエア抜き孔６１に連通され、供給機構部３の側面に沿って配置されたエア抜き経路本体６２と、石鹸液タンク２１に連通する第２連通口（図示せず）が形成され、供給機構部３の下方に配置された第３端部６３と、を有する。エア抜き孔６１は、立壁５１３の下端に連なるエア抜き経路本体６２に連通されている。エア抜き孔６１は、覆い壁５１２の立壁５１３との境界であって、テーパ壁３３１Ｂと対向する部分に設けられている。エア抜き孔６１は、覆い壁５１２の立壁５１３との境界に設けられている。即ち、エア抜き孔６１は、立壁５１３に沿って中心軸Ｚ回りに湾曲して形成されている。本実施形態では、エア抜き孔６１の軸周りの長さは、連通孔５１３Ａの軸周りの長さよりも短く設けられている。
【００４４】
エア抜き経路本体６２は、回転部３３の収容部３３１のテーパ壁３３１Ｂ、ポンプ機構３２の収容部３２１側壁や経路集合部３１の側壁（即ち供給機構部３の側壁）の一部に沿って形成されている。詳しく説明すると、エア抜き経路本体６２のテーパ壁３３１Ｂに対向する部分は、テーパ壁３３１Ｂと同様に、中心軸Ｚ周りに湾曲して設けられ、上方に向かうに従って湾曲の曲率半径が小さくなるように形成されている。回転部３３の収容部３３１の側壁３３１Ａ、ポンプ機構３２の収容部３２１側壁や経路集合部３１の側壁に対向する部分は、中心軸Ｚ周りに湾曲して設けられ、上から下まで曲率半径が同じに設けられる。
【００４５】
詳しく説明すると、エア抜き経路本体６２は、図４及び図６に示すように、供給機構部３の径方向に沿って対向する一対の側壁６２１と、一対の側壁６２１の軸周り方向両端を連結する一対の連結壁６２２と、を有して、筒状に形成されている。また、エア抜き経路本体６２は、筒状の下側開口を塞ぐ底壁６２３を有している。そして、上記一対の側壁６２１が、供給機構部３の中心軸Ｚ回りに湾曲して設けられている。
【００４６】
第３端部６３は、補給経路本体５３内側の側壁６２１下端から中心軸に向かって突出する第３経路部６３２と、第３経路部６３２の中心軸側の端部から下垂する第４経路部６３３と、が形成されている。第４経路部６３３の端部には、石鹸液タンク２１に連通する第２連通口（図示せず）が設けられ、後述する連通経路部７のエア抜き経路接続部７３に内挿されている。第３経路部６３２及び第４経路部６３３は、円筒状に形成されている。
【００４７】
上述した補給経路本体５３及びエア抜き経路本体６２は、図４及び図６に示すように、中心軸Ｚ周りに沿って並べられて設けられ連結壁９によって連結されている。連結壁９は、図４に示すように、補給経路本体５３及びエア抜き経路本体６２の上側部分を連結し、下側部分は連結していない。
【００４８】
また、上記覆い壁５１２上には、図２に示すように、エア抜き孔６１を囲む囲い壁１０が設けられている。囲い壁１０は、例えば立壁５１３に係止されている。例えば本実施形態では、囲い壁１０は、覆い壁５１２とは別体に設けられているが、覆い壁５１２と一体に形成してもよい。
【００４９】
連通経路部７は、図４に示すように、経路本体７１と、補給経路接続部７２と、エア抜き経路接続部７３と、供給経路接続部７４と、を有している。経路本体７１は、断面略半円状の筒状に形成され、図１に示すように、支持部材２２２内に挿入されている。経路本体７１の下端は、開口され、石鹸液タンク２１の上方開口に対向して配置される。また、経路本体７１の上端部は、図４に示すように、３つに分岐され、補給経路接続部７２、エア抜き経路接続部７３及び供給経路接続部７４が形成される。
【００５０】
補給経路接続部７２は、上述した補給経路部５の第２端部５２が内挿されるように、略円筒状に形成されている。エア抜き経路接続部７３は、上述したエア抜き経路部６の第３端部６３が内挿されるように、略円筒状に形成されている。供給経路接続部７４は、上方が開口された筒状に形成され、その開口から吸い上げチューブ３４が挿入される。吸い上げチューブは、供給経路接続部７４、経路本体７１を通って石鹸タンク２１内の石鹸液に浸される。
【００５１】
上記補給経路接続部７２及びエア抜き経路接続部７３は、経路本体７１の直径方向両側からそれぞれ突設されている。この補給経路接続部７２及びエア抜き経路接続部７３の間に供給経路接続部７４が形成される。
【００５２】
ケース８は、ケース本体８１と、蓋部８２と、を有している。ケース本体８１は、図１に示すように、内径が受け皿部２２２Ｄや供給機構部３の外径よりも大きい略筒状に形成されていて、受け皿部２２２Ｄ、供給機構部３、補給経路部５、エア抜き経路部６を収容する。蓋部８２は、ケース本体８１の上側開口を塞ぐようにケース本体８１に着脱自在に取付られる。
【００５３】
次に、上述したソープディスペンサー１の石鹸液の補給手順について説明する。まず、作業者は、蓋部８２を取り外して、補給口５１１を露出させる。そして、この上方に開口する補給口５１１から石鹸液を流し込むと、受け皿状の第１端部５１に石鹸液が溜まる。第１端部５１に溜まった石鹸液は、連通孔５１２Ａを通って補給経路本体５３に供給される。なお、囲い壁１０により、第１端部５１に溜まった石鹸液は、エア抜き孔６１に流れ込むことはない。石鹸液は、補給経路本体５３を通ると第２端部５２から連通経路部７の補給経路接続部７２に供給される。その後、石鹸液は、経路本体７１を通って石鹸液タンク２１に供給される。
【００５４】
石鹸液タンク２１に石鹸液が供給されると、供給された分、石鹸液タンク２１内の空気が外部に押し出される。押し出される空気は、経路本体７１、エア抜き経路接続部７３、第３端部６３、エア抜き経路本体６２を通ってエア抜き孔６１から外部にでる。
【００５５】
上述した実施形態によれば、供給機構部３の上方に補給口５１１が配置されているため、供給機構部３を取り外すことなく、石鹸液を補給することができる。このため、補給時の作業性の向上を図ることができる。
【００５６】
また、上述した実施形態によれば、第１端部５１は、供給機構部３の上方を覆う覆い壁５１２と、覆い壁５１２の縁部から上方に立設した筒状の立壁５１３と、を有し、覆い壁５１２には、補給経路本体５３との連通孔５１２Ａが形成されている。これにより、補給口５１１を大きくすることができ、より一層補給時の作業性の向上を図ることができる。
【００５７】
また、上述した実施形態によれば、エア抜き経路部６を設けることにより、石鹸液補給時に石鹸タンク２１内の空気がエア抜き経路部６から抜けるため、補給経路部５から抜けることを防止できる。
【００５８】
また、上述した実施形態によれば、補給経路本体５３と、エア抜き経路本体６２と、が並べられて一体に形成されている。これにより、部品点数削減となり、コストダウンを図ることができる。
【００５９】
また、上述した実施形態によれば、囲い壁１０により、石鹸液がエア抜き経路部６２に流れ込むのを防止できる。
【００６０】
なお、上述した実施形態によれば、エア抜き経路部６を設けていたが、これに限ったものではない。エア抜き経路部６についてはなくてもよい。
【００６１】
また、上述した実施形態によれば、補給経路本体５３と、エア抜き経路本体６２と、連結壁９により連結され、並べられて一体に形成されていたが、これに限ったものではない。補給経路本体５３とエア抜き経路本体６２とを別々の部品で設けてもよい。
【００６２】
また、上述した実施形態によれば、囲い壁１０を設けていたが、囲い壁１０についてはなくてもよい。
【００６３】
なお、本発明は上記実施形態に限定されるものではない。即ち、本発明の骨子を逸脱しない範囲で種々変形して実施することができる。
【符号の説明】
【００６４】
１  ソープディスペンサー（流体吐出装置）
２  石鹸液タンク体（タンク）
３  供給機構部
５  補給経路部
６  エア抜き経路部
１０  囲い壁
４２  吐出ノズル
５１  第１端部
５２  第２端部
５３  補給経路本体
６１  エア抜き孔
６２  エア抜き経路本体
６３  第３端部
５１１  補給口
５１２    覆い壁
５１２Ａ  連通孔
５１３  立壁
５２１  第１連通口
【図１】
2018104048.tif 000003
【図２】
2018104048.tif 000004
【図３】
2018104048.tif 000005
【図４】
2018104048.tif 000006
【図５】
2018104048.tif 000007
【図６】
2018104048.tif 000008
【図７】
2018104048.tif 000009